(57)【要約】コンピュータネットワークに結合される販売者サーバを使用して商品及びサービスの両方あるいはいずれか一方を獲得する方法が開示される。このネットワーク（１００）は、表面に形成される１つ以上のアイコン（１２４）に対応し且つこれに関連付けられるアクセス情報をプログラムされたメモリ装置（１２２）を有する少なくとも１枚のスマートカード（１２０）を含む。スマートカード（１２０）は、ネットワーク（１００）に結合されるリーダ装置（１６０）と共に配置可能であり、メモリ装置（１２２）の読取りによってアイコン（１２４）に重なるリーダ（１６０）装置のタッチパネル（１６２）を押下するユーザにより選択されるアイコン（１２４）のうちの１つとアクセス情報とを関連付けできるようにする。この方法は、１つのアイコン（１２４）の選択に応じてリーダ（１６０）から販売者サーバ（２００）にアクセス情報を送信する。方法は、アクセス情報に従ってユーザが取り出せるようにするために販売者サーバ（２００）を利用して商品及びサービスの両方あるいはいずれか一方を提供する。方法は、アクセス情報の販売者サーバ（２００）への送信を監視し、ネットワーク（１００）の少なくとも１人のユーザに商品及びサービスの両方あるいはいずれか一方の提供に関連する費用に対する請求書を送付する。
2004507853.tif 000002
【特許請求の範囲】
【請求項１】
ネットワーク化された印刷システムであって、
表面に形成される１つ以上のアイコンに対応し且つこれに関連付けられるアクセス情報をプログラムされたメモリ装置を有する少なくとも１枚のスマートカードと、
コンピュータネットワークに結合されるリーダ装置であって、前記スマートカードは前記リーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするリーダ装置と、
前記ネットワークに結合され、前記リーダ装置に物理的に関連付けられるプリンタ装置と、
前記ネットワークに結合され、前記１つのアイコンの選択に応じて前記リーダ装置から前記アクセス情報を受信するように構成され、前記プリンタで印刷して前記ユーザが取り出せるようにするために受信に応じて電子文書を転送する販売者サーバと、
前記ネットワークに結合され、前記電子文書の前記プリンタへの転送を監視すると共に前記ネットワークの少なくとも１人のユーザに前記印刷に関連する費用に対する請求書を送付するように構成されるトランザクション警告サーバとを具備するシステム。
【請求項２】
前記メモリ装置は前記ユーザに関するＩＤ情報を更に含み、前記印刷に関連する費用に対する請求書を前記ユーザに送付できるように前記ＩＤ情報は前記アクセス情報と共に前記販売者サーバに送信される請求項１記載のシステム。
【請求項３】
前記リーダ装置は前記物理的に関連付けられたプリンタのネットワークアドレスを前記販売者サーバに更に送信し、それにより、前記販売者サーバは前記ネットワークアドレスを使用して前記電子文書を前記物理的に関連付けられたプリンタへと転送できるようになる請求項１記載のシステム。
【請求項４】
前記リーダ装置及び前記プリンタが一体的に形成される請求項１記載のシステム。
【請求項５】
前記１人のユーザは、前記販売者サーバ、前記ユーザ、及び前記プリンタ及び前記リーダ装置が関連付けられるローカルサーバより成る群から選択される請求項４記載のシステム。
【請求項６】
図面を参照して本明細書に記載されたものと実質同一のネットワーク印刷システム。
【請求項７】
コンピュータネットワークから供給される文書を再製する方法であって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにする方法であって、
前記１つのアイコンの選択に応じて前記リーダ装置から前記販売者サーバに前記アクセス情報を送信する工程と、前記ネットワークに結合されるプリンタで印刷して前記ユーザが取り出せるようにするために前記販売者サーバから前記プリンタへと電子文書を転送する工程とを有する方法。
【請求項８】
前記メモリ装置は前記ユーザに関するＩＤ情報を更に含み、前記印刷に関連する費用に対する請求書を前記ユーザに送付できるように前記ＩＤ情報は前記アクセス情報と共に前記販売者サーバに送信される請求項７記載の方法。
【請求項９】
前記リーダ装置は前記物理的に関連付けられたプリンタのネットワークアドレスを前記販売者サーバに更に送信し、それにより、前記販売者サーバは前記ネットワークアドレスを使用して前記電子文書を前記物理的に関連付けられたプリンタへと転送できるようになる請求項７記載の方法。
【請求項１０】
前記リーダ装置及び前記プリンタが一体的に形成される請求項７記載の方法。
【請求項１１】
前記電子文書の前記プリンタへの転送を監視する工程と、
前記ネットワークの少なくとも１人のユーザに前記印刷に関連する費用に対する請求書を送付する工程とを更に含む請求項７記載の方法。
【請求項１２】
前記監視及び前記請求書送付は、前記ネットワークに結合されるトランザクション警告サービスにより実行される請求項１１記載の方法。
【請求項１３】
前記１人のユーザは、前記販売者サーバ、前記ユーザ、及び前記プリンタ及び前記リーダ装置が関連付けられるローカルサーバより成る群から選択される請求項１２記載の方法。
【請求項１４】
コンピュータネットワークに結合される販売者サーバを使用して商品及びサービスの両方あるいはいずれか一方を獲得する方法であって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにする方法であって、
前記１つのアイコンの選択に応じて前記リーダ装置から前記販売者サーバに前記アクセス情報を送信する工程と、
前記アクセス情報に従って前記ユーザが取り出せるようにするために前記販売者サーバを利用して前記商品及びの両方あるいはいずれか一方サービスを提供する工程と、
前記アクセス情報の前記販売者サーバへの前記送信を監視する工程と、
前記ネットワークの少なくとも１人のユーザに前記商品及びサービスの両方あるいはいずれか一方の提供に関連する費用に対する請求書を送付する工程とを有する方法。
【請求項１５】
前記メモリ装置は前記ユーザに関するＩＤ情報を更に含み、前記商品及びサービスの両方あるいはいずれか一方の提供に関連する費用に対する請求書を前記ユーザに送付できるように前記ＩＤ情報は前記アクセス情報と共に前記販売者サーバに送信される請求項１４記載の方法。
【請求項１６】
前記リーダ装置は前記リーダ装置のネットワークアドレスを前記販売者サーバに更に送信し、それにより、前記販売者サーバは前記ネットワークアドレスを使用して前記商品及びサービスの両方あるいはいずれか一方を前記ユーザに転送できるようになる請求項１４記載の方法。
【請求項１７】
前記リーダ装置及び前記プリンタが一体的に形成される請求項１４記載の方法。
【請求項１８】
前記監視及び前記請求書送付は、前記ネットワークに結合されるトランザクション警告サービスにより実行される請求項１４記載の方法。
【請求項１９】
前記１人のユーザは、前記販売者サーバ、前記ユーザ、及び前記リーダ装置が関連付けられるローカルサーバより成る群から選択される請求項１４記載の方法。
【請求項２０】
前記商品及びサービスの両方あるいはいずれか一方は、ピザサービス、マッサージサービス、及び印刷サービスより成る群から選択される請求項１４記載の方法。
【請求項２１】
商品及びサービスの両方あるいはいずれか一方を提供するネットワークシステムであって、
表面に形成される１つ以上のアイコンに対応し且つこれに関連付けられるアクセス情報をプログラムされたメモリ装置を有する少なくとも１枚のスマートカードと、
コンピュータネットワークに結合されるリーダ装置であって、前記スマートカードは前記リーダ装置と共に配置可能であり、前記メモリ装置の読取りによって前記アイコンに重なる前記リーダ装置のタッチパネルを押下する前記ユーザにより選択される前記アイコンのうちの１つと前記アクセス情報とを関連付けできるようにするリーダ装置と、
前記ネットワークに結合され、前記１つのアイコンの選択に応じて前記リーダ装置から前記アクセス情報を受信するように構成され、前記ユーザが取り出せるようにするために受信に応じて前記商品及びサービスの両方あるいはいずれか一方の提供を可能にする販売者サーバと、
前記ネットワークに結合され、前記アクセス情報の前記販売者サーバへの転送を監視すると共に前記ネットワークの少なくとも１人のユーザに前記商品及びサービスの両方あるいはいずれか一方に関連する費用に対する請求書を送付するように構成されるトランザクション監視サーバとを具備するシステム。
【請求項２２】
前記メモリ装置は前記ユーザに関するＩＤ情報を更に含み、前記印刷に関連する費用に対する請求書を前記ユーザに送付できるように前記ＩＤ情報は前記アクセス情報と共に前記販売者サーバに送信される請求項２１記載のシステム。
【請求項２３】
前記リーダ装置は前記リーダ装置のネットワークアドレスを前記販売者サーバに更に送信し、それにより、前記販売者サーバは前記ネットワークアドレスを使用して前記商品及びサービスの両方あるいはいずれか一方を前記ユーザへと転送できるようになる請求項２１記載のシステム。
【請求項２４】
前記リーダ装置及び前記プリンタが一体的に形成される請求項２１記載のシステム。
【請求項２５】
前記１人のユーザは、前記販売者サーバ、前記ユーザ、及び前記リーダ装置が関連付けられるローカルサーバより成る群から選択される請求項２１記載のシステム。
【請求項２６】
商品及びサービスの両方あるいはいずれか一方を供給する販売者サーバであって、前記販売者サーバはコンピュータネットワークに結合され、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにし、前記販売者サーバが前記１つのアイコンの選択に応じて前記リーダ装置から送信される前記アクセス情報を受信すると共に前記ユーザが取り出せるようにするために受信に応じて前記商品及びサービスの両方あるいはいずれか一方の転送を可能にする販売者サーバ。
【請求項２７】
前記販売者サーバは更なる情報を前記ネットワークに結合されるトランザクション警告サーバへと転送するように更に構成され、前記トランザクション警告サーバは前記アクセス情報の前記販売者サーバへの転送を監視すると共に前記ネットワークの少なくとも１人のユーザに前記商品及びサービスの両方あるいはいずれか一方に関連する費用に対する請求書を送付するように構成される請求項２７記載の販売者サーバ。
前記ネットワークに結合され且つ前記アクセス情報の前記販売者サーバへの転送を監視すると共に前記ネットワークの少なくとも１人のユーザに前記商品及びサービスの両方あるいはいずれか一方に関連する費用に対する請求書を送付するように構成されるトランザクション監視サーバ。
【請求項２８】
ネットワーク上でトランザクションを監視するトランザクション監視サーバであって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにし、前記トランザクション監視サーバが前記１つのアイコンの選択に応じて前記リーダ装置から送信される前記アクセス情報の転送を監視すると共に前記ネットワークの少なくとも１人のユーザに前記アクセス情報の前記転送に関連する費用に対する請求書を送付するように構成されるトランザクション監視サーバ。
【請求項２９】
コンピュータネットワークから供給される文書を再製するプログラムであって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするプログラムであって、
前記１つのアイコンの選択に応じて前記リーダ装置から前記販売者サーバに前記アクセス情報を送信するためのコードと、
前記ネットワークに結合されるプリンタで印刷して前記ユーザが取り出せるようにするために前記販売者サーバから前記ネットワークに結合されるプリンタへと電子文書を転送するためのコードとを具備するプログラム。
【請求項３０】
メモリ媒体に格納され、装置内に構成されるプロセッサにより実行される請求項２９記載のプログラム。
【請求項３１】
コンピュータネットワークに結合される販売者サーバを使用して商品及びサービスの両方あるいはいずれか一方を獲得するプログラムであって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするプログラムであって、
前記１つのアイコンの選択に応じて前記リーダ装置から前記販売者サーバに前記アクセス情報を送信するためのコードと、
前記アクセス情報に従って前記ユーザが取り出せるようにするために前記販売者サーバを利用して前記商品及びサービスの両方あるいはいずれか一方を提供するためのコードと、
前記アクセス情報の前記販売者サーバへの前記送信を監視するためのコードと、
前記ネットワークの少なくとも１人のユーザに前記商品及びサービスの両方あるいはいずれか一方の提供に関連する費用に対する請求書を送付するためのコードとを具備するプログラム。
【請求項３２】
メモリ媒体に格納され、装置内に構成されるプロセッサにより実行される請求項３１記載のプログラム。
【請求項３３】
プログラムを記録したコンピュータ可読な媒体であって、前記プログラムがコンピュータネットワークから供給される文書を再製する手順をコンピュータに実行させるように構成され、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするコンピュータ可読な媒体であって、前記プログラムは、
前記１つのアイコンの選択に応じて前記リーダ装置から前記販売者サーバに前記アクセス情報を送信するためのコードと、
前記ネットワークに結合されるプリンタで印刷して前記ユーザが取り出せるようにするために前記販売者サーバから前記ネットワークに結合されるプリンタへと電子文書を転送するためのコードとを具備するコンピュータ可読な媒体。
【請求項３４】
プログラムを記録したコンピュータ可読な媒体であって、前記プログラムはコンピュータネットワークに結合される販売者サーバを使用して商品及びサービスの両方あるいはいずれか一方を獲得する手順をコンピュータに実行させるように構成され、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするコンピュータ可読な媒体であって、前記プログラムは、
前記１つのアイコンの選択に応じて前記リーダ装置から前記販売者サーバに前記アクセス情報を送信するためのコードと、
前記アクセス情報に従って前記ユーザが取り出せるようにするために前記販売者サーバを利用して前記商品及びサービスの両方あるいはいずれか一方を提供するためのコードと、
前記アクセス情報の前記販売者サーバへの前記送信を監視するためのコードと、
前記ネットワークの少なくとも１人のユーザに前記商品及びサービスの両方あるいはいずれか一方の提供に関連する費用に対する請求書を送付するためのコードとを具備するコンピュータ可読な媒体。
【請求項３５】
図面を参照して本明細書に記載されたものと実質同一のネットワーク印刷システム。
【請求項３６】
図面を参照して本明細書に記載したのとほぼ同様の、コンピュータネットワークを介して供給される文書を印刷する方法。
【請求項３７】
図面を参照して本明細書に記載したのとほぼ同様のスマートカード装置。
【請求項３８】
コンピュータネットワークに結合される販売者サーバを使用して商品及びサービスの両方あるいはいずれか一方を獲得する方法であって、図面を参照して本明細書に記載したのとほぼ同様の方法。
【請求項３９】
ネットワーク上でトランザクションを監視する装置において、
スマートカードを使用してアクセスするスマートカードユーザにサービスを提供するサービスプロバイダから供給されるトランザクション情報を監視するためのプロセッサであって、前記トランザクション情報に基づいて費用を計算するように構成されるプロセッサを具備する装置。
【請求項４０】
前記プロセッサは、前記トランザクション情報及び製造されるスマートカードの量に基づいて前記費用を計算する請求項３９記載の装置。
【請求項４１】
ネットワーク上でトランザクションを監視する装置において実行されるコンピュータ実行可能なプログラムであって、
スマートカードを使用してアクセスするスマートカードユーザにサービスを提供するサービスプロバイダから供給されるトランザクション情報を監視するためのコードと、
前記トランザクション情報に基づいて費用を計算するためのコードとを具備するプログラム。
【請求項４２】
製造されるスマートカードの量及び前記トランザクション情報に基づいて前記費用を計算するためのコードを更に具備する請求項４１記載のプログラム。
【請求項４３】
特定のカードを使用してネットワークを介して要求されるサービスのトランザクションを監視するトランザクション監視装置に使用されるコンピュータ実行可能なプログラムであって、前記特定のカードが前記ネットワークを介して前記サービスを要求するためのアクセス情報を格納するコンピュータ実行可能なプログラムであって、
前記特定のカードを使用して前記ネットワーク上で実行される前記トランザクションを監視するためのコードと、
前記監視されるトランザクション及び発行される前記特定のカードの枚数に基づいて前記サービスのサービスプロバイダに請求すべき請求書データを生成するためのコードとを具備するコンピュータ実行可能なプログラム。
【発明の詳細な説明】
【０００１】
【発明の技術分野】
本発明は、ネットワーク化印刷構成に関し、特に、所望の情報をアクセスし、その印刷を実現するのに使用される電子スマートカードに関する。また、本発明は他のネットワーク商品やサービスの提供に関し、特に、任意の所望の商品又はサービスをアクセスおよび実現するのに使用される電子スマートカードに関する。
【０００２】
【背景技術】
近年、インターネットが爆発的な成長を遂げた結果、インターネット上では多様な業者が販売商品及びサービスを提供するようになった。販売される商品はインターネットを介して電子的に供給又は配信される場合も多く、たいていはインターネット消費者にとって直ちに又は直接役立つであろう情報の形態で提供される。販売業者のインターネットウェブサイトから入手するとすぐに、ユーザが印刷する情報についてはそれが普通である。
【０００３】
このような情報（又は他の商品及びサービス）のインターネットを介しての提供及びその結果としての印刷（配信）には問題がない訳ではない。具体的には、ユーザが画像又はテキスト文書の購入を希望する場合、販売業者と金銭的な取り引きを、通常は、クレジットカード機能及びいずれかの金融機関とのインタフェースを用いて行なう必要がある。更に、このようなサービスは、ユーザがコンピュータ端末へアクセスできる場合にのみ提供可能である。このコンピュータ端末は、販売業者のウェブサイトへの直接アクセスを提供し、ユーザは何らかのパスワード保護コードなどをこれに入力する。ユーザがユーザ自身の（自宅又は会社などの）パーソナルコンピューティング装置へのアクセス権を有するときには、このような構成は実際上問題とならないであろう。これに対し、ユーザが移動中であるか、あるいは、必要なインターネット接続機能を有するパーソナルコンピューティング装置が利用可能でない場所で装置を使用するときには、問題となる可能性がある。
【０００４】
このような構成の更なる問題点は、ユーザが販売業者及び購入を希望する文書又は画像のインターネット上の位置を知る必要があることである。特定のインターネットアドレス（すなわち、Ｕｎｉｆｏｒｍ Ｒｅｓｏｕｒｃｅ Ｌｏｃａｔｏｒ（ＵＲＬ））が分からない場合、ユーザはその位置を検索しなければならない。このような検索は、通常、コンピュータ装置を使用して行なわれ、ブラウザアプリケーションの使用を伴うと共に、ある程度の検索パラメータのキーボードデータ入力を必要とする。この検索には時間がかかるだけでなく、失敗する可能性もある。
【０００５】
【発明の概要】
本発明の目的は、既存の構成の１つ以上の欠点をほぼ克服するか、あるいは、少なくとも改善することである。
【０００６】
本開示の一面によると、ネットワーク化印刷システムにおいて、
表面に形成される１つ以上のアイコンに対応し且つこれに関連付けられるアクセス情報をプログラムされたメモリ装置を有する少なくとも１枚のスマートカードと、
コンピュータネットワークに結合されるリーダ装置であって、前記スマートカードは前記リーダ装置と共に配置可能であり、前記メモリ装置の読取りによって前記アイコンに重なる前記リーダ装置のタッチパネルを押下する前記ユーザにより選択される前記アイコンのうちの１つと前記アクセス情報とを関連付けできるようにするリーダ装置と、
前記ネットワークに結合され、前記リーダ装置に物理的に関連付けられるプリンタ装置と、
前記ネットワークに結合され、前記１つのアイコンの選択に応じて前記リーダ装置から前記アクセス情報を受信するように構成され、前記プリンタで印刷して前記ユーザが取り出せるようにするために受信に応じて電子文書を転送する販売者サーバと、
前記ネットワークに結合され、前記電子文書の前記プリンタへの転送を監視すると共に前記ネットワークの少なくとも１人のユーザに前記印刷に関連する費用に対する請求書を送付するように構成されるトランザクション警告サービスとを具備するシステムが提供される。
【０００７】
本開示の別の面によると、コンピュータネットワークに結合される販売者サーバから供給される文書を再製する方法であって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにする方法において、
前記１つのアイコンの選択に応じて前記リーダ装置から前記販売者サーバに前記アクセス情報を送信する工程と、
前記ネットワークに結合されるプリンタで印刷して前記ユーザが取り出せるようにするために前記販売者サーバから前記プリンタへと電子文書を転送する工程とを有する方法が提供される。
【０００８】
本開示の更に別の面によると、コンピュータネットワークに結合される販売者サーバを使用して商品及びサービスの両方あるいはいずれか一方を獲得する方法であって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにする方法において、
前記１つのアイコンの選択に応じて前記リーダ装置から前記販売者サーバに前記アクセス情報を送信する工程と、
前記アクセス情報に従って前記ユーザが取り出せるようにするために前記販売者サーバを利用して前記商品及びサービスの両方あるいはいずれか一方を提供する工程と、
前記アクセス情報の前記販売者サーバへの前記送信を監視する工程と、
前記ネットワークの少なくとも１人のユーザに前記商品及びサービスの両方あるいはいずれか一方の提供に関連する費用に対する請求書を送付する工程とを有する方法が提供される。
【０００９】
本開示の更に別の面によると、商品及びサービスの両方あるいはいずれか一方を提供するネットワークシステムにおいて、
表面に形成される１つ以上のアイコンに対応し且つこれに関連付けられるアクセス情報をプログラムされたメモリ装置を有する少なくとも１枚のスマートカードと、
コンピュータネットワークに結合されるリーダ装置であって、前記スマートカードは前記リーダ装置と共に配置可能であり、前記メモリ装置の読取りによって前記アイコンに重なる前記リーダ装置のタッチパネルを押下する前記ユーザにより選択される前記アイコンのうちの１つと前記アクセス情報とを関連付けできるようにするリーダ装置と、
前記ネットワークに結合され、前記１つのアイコンの選択に応じて前記リーダ装置から前記アクセス情報を受信するように構成され、前記ユーザが取り出せるようにするために受信に応じて前記商品及びサービスの両方あるいはいずれか一方の提供を可能にする販売者サーバと、
前記ネットワークに結合され、前記アクセス情報の前記販売者サーバへの転送を監視すると共に前記ネットワークの少なくとも１人のユーザに前記商品及びサービスの両方あるいはいずれか一方に関連する費用に対する請求書を送付するように構成されるトランザクション監視サーバとを具備するシステムが提供される。
【００１０】
本開示の更に別の面によると、商品及びサービスの両方あるいはいずれか一方を供給する販売者サーバであって、前記販売者サーバがコンピュータネットワークに結合され、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにし、前記販売者サーバが前記１つのアイコンの選択に応じて前記リーダ装置から送信される前記アクセス情報を受信すると共に前記ユーザが取り出せるようにするために受信に応じて前記商品及びサービスの両方あるいはいずれか一方の転送を可能にする販売者サーバが提供される。
【００１１】
本開示の更に別の面によると、ネットワーク上でトランザクションを監視するトランザクション監視サーバであって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにし、前記トランザクション監視サーバが前記１つのアイコンの選択に応じて前記リーダ装置から送信される前記アクセス情報の転送を監視すると共に前記ネットワークの少なくとも１人のユーザに前記アクセス情報の前記転送に関連する費用に対する請求書を送付するように構成されるトランザクション警告サーバが提供される。
【００１２】
本開示の更に別の面によると、コンピュータネットワークから供給される文書を再製するプログラムであって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするプログラムにおいて、
前記１つのアイコンの選択に応じて前記リーダ装置から前記販売者サーバに前記アクセス情報を送信するためのコードと、前記ネットワークに結合されるプリンタで印刷して前記ユーザが取り出せるようにするために前記販売者サーバから前記ネットワークに結合されるプリンタへと電子文書を転送するためのコードとを具備するプログラムが提供される。
【００１３】
本開示の更に別の面によると、コンピュータネットワークに結合される販売者サーバを使用して商品及びサービスの両方あるいはいずれか一方を獲得するプログラムであって、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするプログラムにおいて、
前記１つのアイコンの選択に応じて前記リーダ装置から前記販売者サーバに前記アクセス情報を送信するためのコードと、
前記アクセス情報に従って前記ユーザが取り出せるようにするために前記販売者サーバを利用して前記商品及びサービスの両方あるいはいずれか一方を提供するためのコードと、
前記アクセス情報の前記販売者サーバへの前記送信を監視するためのコードと、
前記ネットワークの少なくとも１人のユーザに前記商品及びサービスの両方あるいはいずれか一方の提供に関連する費用に対する請求書を送付するためのコードとを具備するプログラムが提供される。
【００１４】
本開示の更に別の面によると、プログラムを記録したコンピュータ可読な媒体であって、前記プログラムがコンピュータネットワークから供給される文書を再製する手順をコンピュータに実行させるように構成され、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするコンピュータ可読な媒体において、前記プログラムは、
前記１つのアイコンの選択に応じて前記リーダ装置から前記販売者サーバに前記アクセス情報を送信するためのコードと、前記ネットワークに結合されるプリンタで印刷して前記ユーザが取り出せるようにするために前記販売者サーバから前記ネットワークに結合されるプリンタへと電子文書を転送するためのコードとを具備するコンピュータ可読な媒体が提供される。
【００１５】
本開示の更に別の面によると、プログラムを記録したコンピュータ可読な媒体であって、前記プログラムがコンピュータネットワークに結合される販売者サーバを使用して商品及びサービスの両方あるいはいずれか一方を獲得する手順をコンピュータに実行させるように構成され、前記ネットワークは、表面に形成される１つ以上のアイコンに対応し且つこれに関連付けられるアクセス情報をプログラムされたメモリ装置を有する少なくとも１枚のスマートカードを具備し、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするコンピュータ可読な媒体において、前記プログラムは、
前記１つのアイコンの選択に応じて前記リーダ装置から前記販売者サーバに前記アクセス情報を送信するためのコードと、
前記アクセス情報に従って前記ユーザが取り出せるようにするために前記販売者サーバを利用して前記商品及びサービスの両方あるいはいずれか一方を提供するためのコードと、
前記アクセス情報の前記販売者サーバへの前記送信を監視するためのコードと、
前記ネットワークの少なくとも１人のユーザに前記商品及びサービスの両方あるいはいずれか一方の提供に関連する費用に対する請求書を送付するためのコードとを具備するコンピュータ可読な媒体が提供される。
【００１６】
本開示の更に別の面によると、ネットワーク上でトランザクションを監視する装置において、
スマートカードを使用してアクセスするスマートカードユーザにサービスを提供するサービスプロバイダから供給されるトランザクション情報を監視するためのプロセッサであって、前記トランザクション情報に基づいて費用を計算するように構成されるプロセッサを具備する装置が提供される。
【００１７】
本開示の更に別の面によると、ネットワーク上でトランザクションを監視する装置において実行されるコンピュータ実行可能なプログラムにおいて、
スマートカードを使用してアクセスするスマートカードユーザにサービスを提供するサービスプロバイダから供給されるトランザクション情報を監視するためのコードと、
前記トランザクション情報に基づいて費用を計算するためのコードとを具備するプログラムが提供される。
【００１８】
本開示の更に別の面によると、特定のカードを使用してネットワークを介して要求されるサービスのトランザクションを監視するトランザクション監視装置に使用されるコンピュータ実行可能なプログラムであって、前記特定のカードが前記ネットワークを介して前記サービスを要求するためのアクセス情報を格納するコンピュータ実行可能なプログラムにおいて、
前記特定のカードを使用して前記ネットワーク上で実行される前記トランザクションを監視するためのコードと、
前記監視されるトランザクション及び発行される前記特定のカードの枚数に基づいて前記サービスのサービスプロバイダに請求すべき請求書データを生成するためのコードとを具備するコンピュータ実行可能なプログラムが提供される。
【００１９】
その他の面も開示される。
【００２０】
図面を参照して、本発明の１つ以上の実施例を説明する。
【００２１】
【詳細な説明】
図１は、ローカルサーバ７００がローカルネットワーク内の複数のクライアントコンピュータ端末８００をインターネット１３０などの外部のネットワークへと結合するネットワーク化印刷システム１００を示す。サーバ７００により形成されるローカルネットワーク内には、更に、複数のプリンタ１０６及び１１２が設けられており、クライアントコンピュータ８００のユーザはこれらのプリンタを用いて従来のように文書及び画像を印刷することができる。
【００２２】
ローカルサーバ７００は、図示するようなインターネット１３０などの外部のコンピュータネットワークへの結合を介して、クライアントコンピュータ８００のユーザに対して販売者サーバ又は販売者ＩＳＰ（インターネットサービスプロバイダ）２００へのアクセス手段を提供する。このような構成では、クライアントコンピュータ８００のユーザは、上述のような従来の方法で販売者サーバ２００から文書、画像、又はその他の商品及びサービスを購入してダウンロードできる。
【００２３】
システム１００には、１台以上のスマートカードリーダ１６０及び１７０が追加される。各スマートカードリーダには、半導体メモリ装置１２２を組み込むと共に複数のアイコン又はシンボル１２４が印刷又はその他の方法で付された基板から形成されるスマートカード装置１２０が挿入されるであろう。スマートカードリーダ１６０又はプリンタ１１２は、それぞれ少なくともソフトウェアプログラムを実行するためのプロセッサ（ＣＰＵ）、このソフトウェアプログラムを格納するための読出し専用メモリ（ＲＯＭ）、及びＣＰＵにより処理されるデータを格納するためのランダムアクセスメモリ（ＲＡＭ）を具備する。スマートカード１２０のメモリ装置１２２は、アクセス情報（例えば、Ｕｎｉｖｅｒｓａｌ Ｒｅｓｏｕｒｃｅ Ｌｏｃａｔｏｒ（ＵＲＬ））、識別情報（例えば、図５及び図６を参照して後述する区別用識別子（ＩＤ）５１０）、及び特定のアイコン１２４と関連付けられるマッピング情報を格納するように構成される。図５及び図６を参照して以下で詳細に説明するように、区別用ＩＤ５１０は、スマートカード装置１２０と関連付けられるサービス（例えば、特定のＵＲＬ）を識別するためのサービス識別子（ＩＤ）５０６と、サービス固有値をただひとり使用するスマートカード装置１２０のユーザを識別するためのサービス固有識別子５０７とを含む。図１に示すように、スマートカードリーダ１６０はローカルサーバ７００に直接接続するが、スマートカードリーダ１７０はプリンタ１１２内に一体的に形成される。スマートカード１２０は、スマートカードリーダ１６０及び１７０による読取りが可能であるが、その読取りは、スマートカード１２０の持ち主が各リーダ１６０、１７０を介して、いずれかひとつあるいは複数のアイコン１２４に対応する情報及びデータを選択してアクセス可能なように行なわれる。このため、こうしてアクセスされる情報は、プリンタ１０６及び１１２のうちの対応する１台で更なるユーザの介入なしに自動的に印刷することができる。販売者サーバ２００はハードディスクやＣＤ−ＲＯＭやフロッピーディスクなどのメモリ媒体にスマートカードシステムモジュール２４２及びスマートカードアプリケーションモジュール２４４（ソフトウェアプログラム）を格納する。スマートカードビジネスサイト６００は、ハードディスクやＣＤ−ＲＯＭやフロッピーディスクなどのメモリ媒体にトランザクション監視サービスモジュール６５２を格納する。
【００２４】
販売者サーバ２００、ローカルサーバ７００、クライアントコンピュータ８００、及びスマートカードビジネスサイト６００は、それぞれ図２４に示すような汎用コンピュータシステム２４００又はその変形を使用して実現することができる。後述する方法は、それぞれ汎用コンピュータシステム２４００の各実現例を使用することによって実施することができる。図４、図２０、図２１、図２２、及び図２３の各プロセスは、例えば、コンピュータシステム２４００の各実現例内で実行されるアプリケーションプログラムによりソフトウェアとして実現されても良い。そこにおいて、図４、図１９、図２１、及び図２２のフローチャートにより表されるソフトウェアプログラムは、スマートカードリーダ１６０内に構成されたＣＰＵ又はスマートカードリーダ１７０を含むプリンタ１１２内に構成されたＣＰＵにより実行されるのが好ましい。特に、ここで説明する方法の各ステップは、各コンピュータにより実行されるソフトウェア中の命令により実施することができる。命令は各々が１つ以上の特定のタスクを実行する１つ以上のコードモジュールとして形成されても良い。ソフトウェアは上述の方法を実行する第１の部分と、第１の部分とユーザとの間のユーザインタフェースを管理する第２の部分との２つの別々の部分に分割されても良い。ソフトウェアは、例えば、以下に記述するような記憶装置を含むコンピュータ可読な媒体に格納されても良い。ソフトウェアは、コンピュータ可読な媒体からコンピュータへとロードされ、コンピュータにより実行される。このようなソフトウェア又はコンピュータプログラムを記録したコンピュータ可読な媒体は、コンピュータプログラム製品である。コンピュータにおいてコンピュータプログラム製品を使用することにより、上述の方法を実行するための有利な装置を実現するのが好ましい。
【００２５】
コンピュータシステム２４００は、コンピュータモジュール２４０１、キーボード２４０２及びマウス２４０３などの入力装置、並びにプリンタ２４１５及び表示装置２４１４を含む出力装置を具備する。変復調（モデム）送受信装置２４１６は、コンピュータモジュール２４０１が、例えば、電話回線２４２１又はその他の機能媒体を介して接続可能なインターネット１３０などのコンピュータネットワークと通信を行なうのに使用される。モデム２４１６は、インターネット及び構内通信網（ＬＡＮ）又は広域通信網（ＷＡＮ）などのその他のネットワークシステムへのアクセス権を取得するのに使用することができる。
【００２６】
コンピュータモジュール２４０１は、通常、少なくとも１つのプロセッサユニット２４０５、例えば、半導体ランダムアクセスメモリ（ＲＡＭ）及び読出し専用メモリ（ＲＯＭ）から形成されるメモリユニット２４０６、ビデオインタフェース２４０７とキーボード２４０２、マウス２４０３、及びオプションとしてのジョイスティック（不図示）用のＩ／Ｏインタフェース２４１３とを含む入出力（Ｉ／Ｏ）インタフェース、並びにモデム２４１６用のインタフェース２４０８を含む。記憶装置２４０９が設けられるが、この記憶装置２４０９は、通常、ハードディスクドライブ２４１０及びフロッピーディスクドライブ２４１１を含む。磁気テープドライブ（不図示）を使用しても良い。ＣＤ−ＲＯＭドライブ２４１２は、通常、不揮発性のデータソースとして設けられる。コンピュータモジュール２４０１の構成要素２４０５から２４１３は、通常、相互接続バス２４０４を介して、コンピュータシステム２４００の動作モードが、当業者には既知の従来の動作モードになるように通信を行なう。上述の構成を実施可能なコンピュータの例としては、ＩＢＭ−ＰＣ及びその互換機、Ｓｕｎ Ｓｐａｒｃｓｔａｔｉｏｎ、又はそれを進化させた同様のコンピュータシステムがある。
【００２７】
通常、ソフトウェアアプリケーションプログラムはハードディスクドライブ２４１０に常駐し、プロセッサ２４０５による実行の際に読み出されて制御される。プログラムとネットワーク２４２０から取り込まれるデータとの中間メモリには半導体メモリ２４０６を使用して、あるいはハードディスクドライブ２４１０と協働させるように使用して達成されても良い。アプリケーションプログラムは、ＣＤ−ＲＯＭ又はフロッピーディスク（ＦＤＤ）上に記録された形でユーザに供給され、対応するドライブ２４１２又は２４１１を介して読み取られる場合もあれば、ネットワーク２４２０からモデム装置２４１６を介してユーザが読み取る場合もある。更に、ソフトウェアは他のコンピュータ可読な媒体からコンピュータシステム２４００へとロードすることもできる。ここで使用する用語「コンピュータ可読な媒体」は、コンピュータシステム２４００に実行させる命令及び処理するデータの両方あるいはいずれか一方の供給に関係する記憶媒体や伝送媒体を指す。記憶媒体の例としては、フロッピーディスク、磁気テープ、ＣＤ−ＲＯＭ、ハードディスクドライブ、ＲＯＭ又は集積回路、光磁気ディスク、又はＰＣＭＣＩＡカードなどのコンピュータ可読なカードがある。これらの媒体がコンピュータモジュール２４０１の内部にあるか、あるいは、外部にあるかは関係がない。伝送媒体の例としては、無線又は赤外線の伝送チャネル、別のコンピュータ又はネットワーク化装置とのネットワーク接続、並びに電子メール送受信及びウェブサイトなどに記録された情報などを含むインターネット又はイントラネットがある。
【００２８】
ここに記載する方法は、図３、図４、図２０、図２１、図２２、及び図２３の機能又は部分的機能を実行する１つ以上の集積回路などの専用ハードウェアにおいて実現されても良い。このような専用ハードウェアには、グラフィックプロセッサ、デジタル信号プロセッサ、又は１つ以上のマイクロプロセッサ及び関連メモリが含まれても良い。
【００２９】
図３は、図１のシステム１００を介して文書を印刷する方法３００を示すフローチャートである。方法３００はユーザが選択したアイコン２４に対応するＵＲＬを送信する。方法３００はスマートカードリーダ１６０、あるいは、スマートカードリーダ１７０と協働するプリンタ１１２により実行される。方法３００は、スマートカード１２０がスマートカードリーダ１６０又は１７０に挿入されたときにスマートカードリーダ１６０又はスマートカードリーダ１７０を有するプリンタ１１２内に構成されるＣＰＵにより実行されるのが好ましい。販売者サーバ２００の管理者は、販売者サーバ２００により提供されるサービスの潜在的なクライアントにスマートカード１２０を配布する。この配布は郵便又はチラシ配りで行なわれても良い。潜在的なクライアントは、例えば、販売者サーバ２００の既存の加入者であるかもしれない。例えば、販売者サーバ２００が画像情報のリポジトリである場合、そこから製造・配布されるスマートカード１２０は、販売者サーバ２００から購入可能な画像のサムネイルサイズの低解像度表示をアイコン１２４として含んでも良い。別の構成では、販売者サーバ２００は定期的に更新される文書の発行元であっても良い。最新版の発行時には、直接印刷して各加入者に郵送するのではなく、スマートカード１２０が加入者に配布されても良い。それにより、加入者はカードに印字されたアイコン１２４により１つ以上の所望の最新版を選択する。
【００３０】
スマートカード１２０の持ち主（ユーザ）はスマートカード１２０をスマートカードリーダ１６０、１７０のうちの１台へと挿入し、販売者サーバ２００からの取得を希望する情報に応じて所望のアイコン１２４を選択する。このようにして、スマートカード１２０の持ち主は販売者サーバ２００から所望の情報を取得するのにクライアントコンピュータ８００を使用する必要がない。図２に示すように、スマートカードリーダ１６０（機能においてリーダ１７０に相当）は、スマートカード１２０を受け入れるように構成されるスロットを組み込む筐体により形成される。挿入されると、スマートカード１２０のアイコン１２４は透明なタッチパネル１６２の下に位置する。図２には示されていないが、リーダ１６０はメモリ装置１２２への電気的接続が設けられている。メモリ装置１２２は、個々のアイコン１２４と透明なタッチパネル１６２により形成される接触感応マトリクスとの間の対応付けが予めプログラムされている。これにより、ユーザはアイコン１２４に対応するその上方のタッチパネル１６２を押下することにより所望のサービスを選択でき、リーダ１６０及び１７０は選択されたアイコン１２４に対応するＵＲＬと、スマートカード１２０の区別用ＩＤとを出力する。
【００３１】
方法３００はステップ３０１で開始される。ステップ３０１において、スマートカードリーダ１６０又はプリンタ１１２のＣＰＵがタッチパネル１６２の出力を読み、この出力をメモリ装置１２２内に格納された対応するＵＲＬと関連させる。出力と対応するＵＲＬとの関連付けは、メモリ装置１２２内に格納された対応付けデータを使用して実行される（すなわち、ＣＰＵは選択されたアイコンに対応するＵＲＬを読む）。次のステップ３０２において、リーダ１６０又はプリンタ１２２のＣＰＵは、ローカルサーバ７００及びインターネット１３０を介して対応するＵＲＬ及び挿入されたカード１２０と関連付けられた区別用ＩＤを販売者サーバ２００に送信する。対応するＵＲＬがローカルサーバ７００を介して販売者サーバ２００に送信される際には従来のプロトコル（ＴＣＰ／ＩＰ及びＨＴＴＰ）が使用される。送信されるＵＲＬは、販売者サーバ２００において構成されるメモリ媒体（例えば、記憶装置２４０９）内に格納される適切な文書を取得すべく、販売者サーバ２００内に位置する関連するＵＲＬに問い合わせるのに使用される。販売者サーバ２００は、対応するネットワーク宛先アドレスを有する関連するプリンタ１０６、１１２上での文書の印刷を指示する。
【００３２】
図４は販売者サーバ２００に問い合わせる方法４００を示すフローチャートである。方法４００に対応するソフトウェアプログラムはメモリ媒体（記憶装置２４０９、ＣＤ−ＲＯＭ２４１２、又はＦＤＤ２４１１など）に格納されるのが好ましく、販売者サーバ２００中のＣＰＵ（例えば、２４０５）により実行される。（選択された）ＵＲＬの送信には区別用ＩＤ５１０が伴い、区別用ＩＤ５１０はスマートカード１２０の特定の持ち主を識別する。この識別は、持ち主が適当なアイコン１２４の選択を通して提供されるサービスに対して一意的に料金請求されることを考慮するように行なわれる。選択されたＵＲＬと共に送信される区別用ＩＤ５１０（サービスＩＤ５０６及びサービス固有ＩＤ５０７を含む）については、特に図５から図１７を参照して詳細に後述する。
【００３３】
方法４００はステップ４０１で開始される。ステップ４０１において、販売者サーバ２００がＵＲＬを受信すると、販売者サーバ１４０のＣＰＵ内で実行されるスマートカードシステムモジュール２４２は、ＵＲＬ要求を、システム１００の一部を形成するスマートカード１２０から生じるＵＲＬ要求であると識別する。この要求は、たとえばクライアントコンピュータ８００から生じるような従来の要求とは別の方法で処理される。スマートカードシステムモジュール２４２は、販売者サーバ２００のメモリ媒体（ＨＤＤ２４１０、ＣＤ−ＲＯＭ２４１２、又はＦＤＤ２４１１など）に格納されるのが好ましい。次のステップ４０３において、スマートカード要求が識別されているので、システムモジュール２４２はＵＲＬ及び区別用ＩＤをアプリケーションモジュール２４４に転送する。ここで、要求の作成元であるスマートカードリーダ１６０と関連付けられたネットワーク宛先アドレスと共にＵＲＬ及び区別用ＩＤが確認される。販売者サーバ２４０はネットワーク宛先アドレスを認識し、ユーザが希望する適切な印刷可能な情報を送信するように構成される。ユーザはローカルサーバ７００又は販売者サーバ２００内で実行されるウェブブラウザを使用して予め指定されるネットワーク宛先アドレスを有するのが好ましい。ネットワーク宛先アドレスの初期設定後に、ユーザはウェブブラウザを使用してネットワーク宛先アドレスを変更することができる。次のステップ４０５において、アプリケーションモジュール２４４を実行することによって、販売者サーバ１４０のＣＰＵは販売者サーバ２００中のメモリ媒体（例えば、ＨＤＤ２４１０）からユーザが希望する適切な印刷可能な情報を取得する。ステップ４０７において、アプリケーションモジュール２４４を実行することによって、販売者サーバ２００は、プリンタ１０６上で印刷するために、インターネット１３０を介してプリンタ１０６のネットワーク宛先アドレスに対応するローカルサーバ７００に適切な印刷可能な情報を送信する。プリンタ１０６は、通常、スマートカードリーダ１６０と物理的に関連付けられる（付近に配置される）。プリンタ１０６は、直接印刷コマンドを受信できるようにするスマートカードモジュール１１０を含む。コマンドは必ずしもローカルサーバ７００の周囲に形成されるローカルネットワーク内から生じるものとは限らない。具体的には、アプリケーションモジュール２４４を介して販売者サーバ２００から生じるものの場合もある。印刷可能な情報を受信すると、プリンタ１０６はスマートカード１２０の持ち主により選択される情報を自動的に印刷するように構成することができる。
【００３４】
図２２は、リーダ１６０又はプリンタ１１２から受信されるＵＲＬを処理する方法２２００を示すフローチャートである。方法２２００はシステム１００のスマートカードシステムモジュール２４２を利用して実行される。方法２２００によるソフトウェアプログラムは、販売者サーバと関連付けられたメモリ媒体（ＨＤＤ２４１０、ＣＤ−ＲＯＭ２４１２、又は記憶装置２４０９など）に格納されるのが好ましく、販売者サーバ２００のＣＰＵにより実行されるのが好ましい。方法２２００の第１のステップ２２０１において、スマートカードシステムモジュール２４２を実行することによって、販売者サーバ２００のＣＰＵはユーザにより選択されたアイコン１２４に対応するＵＲＬと、スマートカード１２０の区別用ＩＤとをリーダ１６０、１７０から受信する。方法２２００は次のステップ２２０３へと続く。ステップ２２０３において、ＵＲＬ要求がシステム１００の一部を形成するスマートカード１２０から生じるものである場合、方法２２００は次のステップ２２０５へと続く。スマートカード１２０から生じるものでない場合、ＵＲＬ要求はクライアントコンピュータ８００のうちの１台から生じたものと見なされ、方法２２００は終了する。ステップ２２０５において、販売者サーバ２００のＣＰＵはシステムモジュール２４２からアプリケーションモジュール２４４へと制御を移す。ここで、要求の作成元であるスマートカードリーダ１６０と関連付けられたネットワーク宛先アドレスと共にＵＲＬ及び区別用ＩＤが確認され、方法２２００は終了する。
【００３５】
スマートカード１２０の持ち主は販売者サーバ２００には分かっているので、スマートカード１２０の持ち主が直接料金請求されるようにスマートカード印刷要求を自動的に処理することができる。請求額は印刷ページ当たりの額に基づいて設定することができる。料金請求は、毎月の明細書の送付などの従来の料金請求方法を使用して、あるいは、従来のようにクレジットカードによる直接決済によって販売者サーバ２００を介して直接行なわれても良い。また、システム１００を介してユーザ指定のクライアントコンピュータ１０４に電子データとして請求書を送信しても良い。
【００３６】
スマートカードアプリケーションモジュール２４４は、要求される情報を宛先プリンタ（例えば、１０６）に送信する際に、通常、図示するようにインターネット１３０に接続されるサーバにより形成されるスマートカードビジネスサイト６００に実行中のトランザクションの詳細を提供するように動作する。ビジネスサイト６００内には、販売者サーバ２００のリソースを利用してシステム１００内で実行中の上述のスマートカードトランザクションを記録するように構成されるトランザクション監視サービス６５２が存在する。販売者サーバ２００のスマートカードアプリケーションモジュール２４４は、ステップ４０７において要求された情報を送信するときにスマートカードビジネスサイト６００のトランザクション監視サービス６５２にトランザクション情報を含む１つ以上のデータパケットを送信するように構成することができる。
【００３７】
データパケット中にあり且つトランザクション監視サービス６５２に送信可能なトランザクション情報の種類としては、スマートカード１２０の区別用ＩＤ５１０、ユーザにより選択されるアイコン１２４に対応するＵＲＬ、トランザクション確認を示す信号、送信・印刷するページ数、送信・印刷する文書の数又は種類、及び送信されるデータの合計サイズなどのうちの少なくともいずれかひとつを含むことができる。区別用ＩＤ５１０については、図５及び図６を参照して以下で詳細に説明する。このように構成されているので、例えば、販売者サーバ２００により配布するためのスマートカード１２０のプログラミングそのほかの製造を行なうビジネスサイト６００の管理者は、販売者サーバ２００が完了するトランザクションに対してトランザクション単位でロイヤリティ（費用）を取得することができる。販売者サーバ２００の管理者にとっては、わずかな費用又は無料でスマートカード１２０のプログラミング及び製造を実行することができる。
【００３８】
図２３は、システム１００上で実行されるトランザクションに対する見積もりを判定する方法２３００を示すフローチャートである。方法２３００はトランザクション監視サービス６５２を利用して実行される。方法２３００の第１のステップ２３０１において、トランザクション監視サービス６５２を実行することによって、ビジネスサイト６００と関連付けられたＣＰＵ（例えば、２４０５）はアプリケーションモジュール２４４から送信されるトランザクション情報を受信する。例えば、トランザクション情報は、スマートカード１２０の区別用ＩＤ、選択されたアイコン１２４に対応するＵＲＬ、販売者サーバ２００の管理者を識別する管理者識別子、ユーザがＵＲＬにアクセスした合計回数又は時間、及びトランザクション確認信号の両方あるいはいずれか一方を含むことができる。プロセスは次のステップ２３０３へと続く。ステップ２３０３において、ビジネスサイト６００と関連付けられたＣＰＵは、管理者識別子、区別用ＩＤ、ＵＲＬ、ユーザがＵＲＬにアクセスした回数をチェックする。次のステップ２３０５において、ビジネスサイト６００と関連付けられたＣＰＵは、ステップ２３０３の結果に基づいて特定のトランザクションに対する見積もりを計算する。例えば、ビジネスサイト６００のＣＰＵは、ユーザがＵＲＬにアクセスした回数又は時間に基づくロイヤリティとしてトランザクションの費用を計算するように構成することができる。ビジネスサイト６００が、販売者サーバ２００の管理者に対して人気の高いＵＲＬを有するスマートカード１２０をプログラム及び製造する場合、ビジネスサイト６００は販売者サーバ２００の管理者から多額のロイヤリティを得ることができる。また、ビジネスサイト６００のＣＰＵは、ビジネスサイト６００が関連するトランザクション情報と共にプログラム及び製造するスマートカード１２０の量に従ってロイヤリティを計算しても良い。例えば、ビジネスサイト６００が所定数（例えば、１００００）より多い枚数のスマートカードをプログラム及び製造する場合、ビジネスサイト６００と関連付けられたＣＰＵはロイヤリティを１０％割り引くように構成されても良い。この場合、キーボード（例えば、２４０２）を使用して所定枚数のスマートカード１２０をビジネスサイト６００のＣＰＵへと入力することができ、ビジネスサイト６００のＣＰＵはスマートカード１２０の量に従ってロイヤリティを計算することができる。このため、その量が所定の閾値を越える場合、ロイヤリティは割り引かれる。
【００３９】
トランザクションの費用は、販売者サーバ２００の管理者とビジネスサイト６００の管理者との間で同意がなされた固定費（例えば、ロイヤリティ又は製造費）であっても良い。例えば、販売者サーバ２００の管理者は、要求されたＵＲＬに対応するトランザクションにつき１セントをビジネスサイト６００の管理者に支払うことに同意してもよい。また、販売者サーバ２００の管理者に対するトランザクションの費用は、上述のように、送信されて印刷されるページ数、送信されて印刷される文書の数又は種類、及び送信されるデータの合計サイズのうちの少なくともいずれかに基づくこともできる。トランザクション監視サービス６５２を実行することによって、ビジネスサイト６００のＣＰＵは販売者サーバ２００の管理者に対して請求書データを生成する。ビジネスサイト６００の管理者は、毎月の明細書の送付などの従来の料金請求方法を使用して、あるいは、従来のようにクレジットカードによる直接決済によって販売者サーバ２００の管理者に請求書を送付する。
【００４０】
図１に示すように、スマートカードリーダ１７０はプリンタ１１２に組み込まれる。プリンタ１１２にはスマートカードモジュール１１０も備えられ、プリンタ１０６に関して先に述べた機能に対応する各機能が実行される。例えば、複写機及び印刷機は普及しているが、インターネットへ直接アクセスする手段を一般に提供する設備が限られているか、あるいは、備えられていない公共の図書館では、スマートカードリーダ１１２が組み込まれる構成は魅力的であるかもしれない。このような構成の場合、プリンタ１１２に対してスマートカード１２０を提示するユーザは上述と同様のトランザクションを実行するであろう。ここで、ビジネスサイト６００は、販売者サーバ２００から得られたロイヤリティの一部をローカルサーバ７００の管理者に転送することによって、ローカルサーバ７００（公共の図書館など）の実現費用を相殺するであろう。
【００４１】
図１８は、スマートカードリーダ１６０を使用してコンピュータネットワークを介して提供されるピザを購入する方法１８００を示すフローチャートである。方法１８００によるソフトウェアプログラムは、スマートカード１２０がスマートカードリーダ１６０に挿入されたときにスマートカードリーダ１６０のＣＰＵ（不図示）により実行されるのが好ましい。ビジネスサイト６００の管理者は、販売者サーバ２００の管理者により提供されるピザ製造および配達サービスに合わせてカスタマイズされたスマートカード１２０のプログラミングそのほかの製造を行なうことができる。上述のように、販売者サーバ２００の管理者にとっては、わずかな費用又は無料でスマートカード１２０のプログラミング及び製造を実行することができる。販売者サーバ２００の管理者は、販売者サーバ２００により提供されるサービスの潜在的なクライアントにスマートカード１２０を配布することができる。この潜在的なクライアントは、例えば、販売者サーバ２００の既存の加入者であるかもしれない。例えば、販売者サーバ２００の管理者は、販売者サーバ２００の管理者が所有・運営するピザ製造施設の近辺の全戸の郵便受けに投函することによってスマートカード１２０を配布しても良い。あるいは、ビジネスサイト６００の管理者が、販売者サーバ２００により提供されるサービスの潜在的なクライアントにスマートカード１２０を配布しても良い。販売者サーバ２００の管理者により製造・配布されるスマートカード１２０は、販売者サーバ２００から購入可能な様々なピザ及びピザのトッピングの両方あるいはいずれか一方のサムネイルサイズの低解像度表現をアイコン１２４として含んでも良い。
【００４２】
システム１００の一部を形成するスマートカード１２０の持ち主はスマートカード１２０をスマートカードリーダ１６０、１７０へと挿入し、ユーザが販売者サーバ２００の管理者に配達を希望するのがどのピザであるのかによって所望のアイコン１２４を選択する。スマートカード１２０の持ち主は、配達を希望するのがどのサイドメニュー（ドリンク又はガーリックブレッドなど）であるのかによって所望のアイコン１２４を選択することもできる。このように、スマートカード１２０の持ち主は、販売者サーバ２００から所望のピザを購入するのにクライアントコンピュータ８００を利用する必要がない。
【００４３】
方法１８００はステップ１８０１で開始される。ステップ１８０１において、スマートカードリーダ１６０のＣＰＵはタッチパネル１６２の出力を読み、この出力をメモリ装置１２２に格納された対応するＵＲＬと関連させる。関連付けは、メモリ装置１２２に格納されたマッピングデータを使用して行なわれる（すなわち、スマートカードリーダ１６０のＣＰＵは選択されたアイコンに対応するＵＲＬを読む）。スマートカード１２０のメモリ装置１２２に格納されたＵＲＬは、ピザ製造および配達サービスのインターネットページに対応する。
【００４４】
次のステップ１８０２において、リーダ１６０のＣＰＵは、ローカルサーバ７００及びインターネット１３０を介して区別用ＩＤ５１０及び対応するＵＲＬを販売者サーバ２００に送信する。また、リーダ１６０はその場所に対応する自宅や会社の住所を販売者サーバ２００に送信するように構成することもできる。ＵＲＬは従来のプロトコル（ＴＣＰ／ＩＰ及びＨＴＴＰ）を使用してローカルサーバ７００を介して販売者サーバ２００に送信される。ＵＲＬは、適切なピザを注文するべく販売者サーバ２００内に位置する関連するＵＲＬに問い合わせるのに使用され、販売者サーバ２００はピザ製造施設に所望のピザをユーザの住所に配達するように指示する。自宅や会社の住所は、スマートカードリーダ１６０を使用して販売者サーバ２００へと入力し、販売者サーバ２００内に予め構成された顧客テーブルに登録することができる。ピザはユーザの自宅の住所に配達され、ユーザは現金で、あるいは、従来のように販売時点電子資金移動（ＥＦＴＰＯＳ）によって販売者サーバ２００の管理者に支払うことができる。また、（選択された）ＵＲＬの送信にはスマートカード１２０の区別用ＩＤが伴うが、持ち主が適切なアイコン１２４の選択を通して提供されるピザに対して一意的にカードの持ち主に料金請求できるようにするためである。例えば、スマートカード１２０の持ち主が販売者サーバ２００の管理者に知られているようにすることもできるので、ピザの注文はスマートカードの持ち主が直接料金請求されるように自動的に処理することができる。料金請求は、毎月の明細書の送付などの従来の料金請求方法を使用して、あるいは、従来のようにクレジットカードによる直接決済によって販売者サーバ２００を介して行なわれても良い。
【００４５】
販売者サーバ２００の問合せについて、図１９の方法１９００を参照して詳細に説明する。ステップ１９０１において、販売者サーバ２００によりＵＲＬが受信されると、販売者サーバ２００のＣＰＵはスマートカードシステムモジュール２４２を実行し、ＵＲＬ要求がシステム１００の一部を形成するスマートカード１２０から生じるものであると識別する。この要求は、クライアントコンピュータ８００から生じる要求のような従来のものとは別の方法で処理される。プロセスは次のステップ１９０３へと続く。ステップ１９０３において、スマートカード要求は識別されているので、システムモジュール２４２は制御をアプリケーションモジュール２４４へと移す。ここで、ＵＲＬ及びスマートカード１２０の区別用ＩＤが自宅の住所又は会社の住所と共に確認される。この情報が処理されると、次のステップ１９０５において、アプリケーションモジュール２４４はピザ製造施設の注文システム（不図示）にユーザの自宅の住所又は会社の住所に所望のピザを配達するように指示する。方法１９００のプロセスは次のステップ１９０７へと続く。ステップ１９０７において、販売者サーバ２００のＣＰＵはアプリケーションモジュール２４４を実行し、インターネット１３０を介してスマートカードビジネスサイト６００に実行中のトランザクションの詳細を送信する。また、ローカルサーバ７００及びクライアントコンピュータ８００は、通常、スマートカードリーダ１６０と物理的に関連付けられる（付近に配置される）ので、アプリケーションモジュール２４４はクライアントコンピュータ８００上で表示するためにローカルサーバ７００にトランザクション成功信号を送信するように構成することができる。
【００４６】
文書印刷の実施例に関して先に述べたように、ビジネスサイト６００内には、販売者サーバ２００のリソースを利用してシステム１００内で実行中の上述のスマートカードトランザクションを記録するように構成されるトランザクション監視サービス６５２が存在する。図１８及び図１９の例でのトランザクション監視サービス６５２に送信することが可能なトランザクション情報の種類としては、ピザ製造および配達サービスに合わせてカスタマイズされたスマートカード１２０の区別用ＩＤ５１０、ピザ製造および配達サービスインターネットページに対応するＵＲＬ、トランザクション確認を示す信号、注文したピザの種類、１つのトランザクションで注文したピザの枚数、販売者サーバ２００の管理者を識別するための管理者識別子、ユーザがＵＲＬにアクセスした回数又は時間、及び注文したサイドメニューのうちの少なくともいずれかを含む。このような構成では、ビジネスサイト６００の管理者は、文書印刷の実施例に関して先に述べたように販売者サーバ２００により完了したこれらのトランザクションに対して、トランザクション単位でロイヤリティを取得することができる。例えば、販売者サーバ２００の管理者は、ビジネスサイト６００の管理者に対してピザ製造および配達サービスのＵＲＬに対応するトランザクションにつき１セント支払うことに同意しても良い。
【００４７】
図２０は、リーダ１６０を使用してコンピュータネットワークを介して提供されるパーソナルトレーニングサービスを獲得する方法２０００を示すフローチャートである。方法２０００によるソフトウェアプログラムは、スマートカード１２０がスマートカードリーダ１６０へと挿入されたときにスマートカードリーダ１６０内に構成されたＣＰＵ（不図示）により実行されるのが好ましい。ビジネスサイト６００の管理者は、上述のように、販売者サーバ２００の管理者により提供されるパーソナルトレーニングサービスに合わせてカスタマイズされたスマートカード１２０のプログラミングそのほかの製造を行なうことができる。販売者サーバ２００の管理者は、販売者サーバ２００により提供されるサービスの潜在的なクライアントにスマートカード１２０を配布することができる。一例において、販売者サーバ２００の管理者は、ジム、ホテル、又はリゾート地の受付デスクに複数枚のスマートカード１２０を託しても良い。あるいは、ビジネスサイト６００の管理者が、販売者サーバ２００により提供されるサービスの潜在的なクライアントにスマートカード１２０を配布しても良い。販売者サーバ２００の管理者により製造および配布されるスマートカード１２０は、販売者サーバ２００から獲得可能な様々な種類のフィットネストレーニングパッケージのサムネイルサイズの低解像度表示をアイコン１２４として含んでも良い。例えば、アイコン１２４は、ランニング、ウェイトリフティング、又は治療マッサージなどをしている人を示していても良い。
【００４８】
システム１００の一部を形成するスマートカード１２０の持ち主は、スマートカード１２０をスマートカードリーダ１６０へと挿入し、ユーザが販売者サーバ２００の管理者に申し込みたいのがどのフィットネスサービスであるかによって所望のアイコン１２４を選択する。また、スマートカード１２０の持ち主は、サービスへのアクセスを希望する都合の良い予約時間によって所望のアイコン１２４を選択することもできる。このように、スマートカード１２０の持ち主は販売者サーバ２００からのサービスにアクセスするのにクライアントコンピュータ８００を利用する必要がない。
【００４９】
方法２０００はステップ２００１で開始される。ステップ２００１において、スマートカードリーダ１６０のＣＰＵはタッチパネル１６２の出力を読み、この出力をメモリ装置１２２に格納された対応するＵＲＬと関連させる。関連付けは、メモリ装置１２２に格納されたマッピングデータを使用して行なわれる（すなわち、スマートカードリーダ１６０のＣＰＵは選択されたアイコンに対応するＵＲＬを読む）。スマートカード１２０のメモリ装置１２２に格納されたＵＲＬは、フィットネスサービスのインターネットページに対応する。
【００５０】
方法２０００は次のステップ２００２へと続く。ステップ２００２において、リーダ１６０のＣＰＵは、ローカルサーバ７００及びインターネット１３０を介してスマートカード１２０の区別用ＩＤ及び対応するＵＲＬを販売者サーバ２００に送信する。また、リーダ１６０は、その場所に対応するスマートカードリーダ１６０を使用してユーザにより指定される自宅や会社の住所（ホテルの住所及び部屋番号など）を販売者サーバ２００に送信するように構成することができる。この例によると、リーダ１６０はユーザの自宅、ホテル又はリゾート地の部屋に配置することができる。ＵＲＬは、従来のプロトコル（ＴＣＰ／ＩＰ及びＨＴＴＰ）を使用してローカルサーバ７００を介して販売者サーバ２００に送信される。送信されたＵＲＬは、適切なフィットネスサービスを申し込むべく販売者サーバ２００内に位置する関連するＵＲＬに問い合わせるのに使用され、販売者サーバ２００はフィットネスサービスと関連するサービスシステムにフィットネストレーナーをその住所に派遣するように指示する。フィットネストレーナーはその住所に派遣され、スマートカード１２０の持ち主は現金で、あるいは、従来のように販売時点電子資金移動（ＥＦＴＰＯＳ）によってフィットネストレーナーに支払うことができる。また、上述のように、（選択された）ＵＲＬの送信にはスマートカード１２０の区別用ＩＤが伴うが、持ち主が適切なアイコン１２４の選択を介して提供されるフィットネスサービスに対して一意的に料金請求できるようにするためである。例えば、スマートカード１２０の持ち主が販売者サーバ２００の管理者に知られているようにすることはできるので、フィットネスサービスに対する要求はスマートカード１２０の持ち主が直接料金請求されるように自動的に処理することができる。料金請求は、毎月の明細書の送付などの従来の料金請求方法を使用して、あるいは、従来のようにクレジットカードによる直接決済によって販売者サーバ２００を介して行なわれても良い。
【００５１】
販売者サーバ２００の問合せについて、図２１の方法２１００を参照して詳細に説明する。ステップ２１０１において、販売者サーバ２００によりＵＲＬを受信すると、販売者サーバ２００のＣＰＵはスマートカードシステムモジュール２４２を実行し、ＵＲＬ要求がシステム１００の一部を形成するスマートカード１２０から生じるものであると識別する。この要求は、クライアントコンピュータ８００から生じる要求のような従来のものとは別の方法で処理される。次のステップ２１０３において、スマートカード要求は識別されているので、システムモジュール２４２は制御をアプリケーションモジュール２４４へと移す。ここで、ＵＲＬ及びスマートカード１２０の区別用ＩＤが自宅の住所又は会社の住所と共に確認される。この情報が処理されると、ステップ２１０５において、販売者サーバ２００のＣＰＵはフィットネスサービスのサービスシステムに自宅の住所又は会社の住所にフィットネストレーナーを派遣するように指示する。プロセスは次のステップ２１０７へと続く。ステップ２１０７において、アプリケーションモジュール２４４を実行することによって、販売者サーバ２００のＣＰＵは、インターネット１３０を介してスマートカードビジネスサイト６００に実行中のトランザクションの詳細を送信する。また、ローカルサーバ７００及びクライアントコンピュータ８００は、通常、スマートカードリーダ１６０と物理的に関連付けられる（付近に配置される）ので、アプリケーションモジュール２４４はクライアントコンピュータ８００上で表示するためにローカルサーバ７００にトランザクション成功信号を送信するように構成することができる。図２０の例によると、トランザクション成功信号はフィットネストレーナーがトレーニングセッションを実行できるようになる時間を示す。
【００５２】
文書印刷の実施例及びピザの実施例に関して先に述べたように、ビジネスサイト６００内には販売者サーバ２００のリソースを利用してシステム１００内で実行中の上述のスマートカードトランザクションを記録するように構成されたトランザクション監視サービス６５２が存在する。図２０及び図２１の例でのトランザクション監視サービス６５２に送信することが可能なトランザクション情報の種類としては、フィットネスサービスに合わせてカスタマイズされたスマートカード１２０の区別用ＩＤ、フィットネスサービスインターネットページに対応するＵＲＬ、トランザクション確認を示す信号、申し込んだフィットネストレーニングの種類、申し込んだトレーニングセッションの時間、販売者サーバ２００の管理者を識別するための管理者識別子、及び、ユーザが特定のＵＲＬにアクセスした回数又は時間のうちの少なくともいずれかを含む。このような構成では、ビジネスサイト６００の管理者は、文書印刷の実施例に関して先に述べたのと同様に販売者サーバ２００により完了したこれらのトランザクションに対して、トランザクション単位でロイヤリティを取得することができる。例えば、販売者サーバ２００の管理者は、ビジネスサイト６００の管理者に対してビジネスサービスのＵＲＬに対応するトランザクションにつき１セント支払うことに同意しても良い。
【００５３】
上述のカード１２０は、種々のカード特性を記述するデータ構造及びカード１２０に印字されたアイコン又はシンボル１２４を格納する。また、カード１２０は、カード、ベンダ（すなわち、販売者サーバ２００の管理者）、及びサービスや商品（ピザなど）に関する情報などのうちの少なくともいずれかの属性を指定する汎用特性を含むこともできる。後述するユーザインタフェースオブジェクトが存在する場合、カード１２０の表面の領域と関連付けるためのデータを指定する。
【００５４】
ユーザインタフェースオブジェクトは、所定の領域又はカード１２０の表面に直接転写されたアイコン表現をメモリ装置１２２に格納されるコマンド又はアドレス（ＵＲＬなど）と関連付けるマッピングデータを表す。マッピングデータは、通常、カード１２０上のアイコン１２４のサイズ及び位置を定義する座標を含む。この点について述べると、アイコン１２４は、一般的に、ユーザインタフェース（ＵＩ）要素と呼ばれる。特定のアイコン１２４に関連するデータは、一般的に、ＵＩインタフェースオブジェクトと呼ばれる。
【００５５】
ユーザインタフェースオブジェクトは、カード１２０上のメモリ装置１２２に直接格納されるのが好ましい。また、ユーザインタフェースオブジェクトは、カード１２０自体ではなく、システム１００に格納することができる。先に説明したように、カード１２０は、例えば、カード上のメモリ装置１２２によりほぼ同様のアイコン及びレイアウトを有するカード１２０に固有の固有識別子であるバーコード又は磁気ストライプを格納することができる。押下の結果、固有識別子及びタッチパネル１６２から判定される座標をリーダ１６０によりシステム１００の販売者サーバ２００に送信することができる。システム１００は販売者サーバ２００上に格納されるユーザインタフェースオブジェクトを有することができると共に、判定された座標からカード１２０上の押下されたアイコン１２４と関連付けられる情報（又は商品及びサービス）に関連する、対応するコマンド、アドレス、又はデータへの対応付けを実行することができる。このため、この例では、ユーザにより選択されたアイコン１２４に関連するデータは、タッチパネル１６２の所望のアイコンに重なる部分をユーザが押下した結果としてリーダ１６０により判定される座標を含む。
【００５６】
図２を参照して先に説明したカード１２０は、後述するように、０個以上のオブジェクトが続くカードヘッダを含むデータを格納する。
【００５７】
図５は、スマートカード１２０に格納されたカードヘッダ５００のデータ構造を示す。ヘッダ５００は、各々が４バイトのデータを表す複数の列５０１を含む。データは「ビッグエンディアン」形式である。完全なヘッダは２０バイト長であり、以下のフィールドを含む（図６に記載）：
（ｉ）カードを有効なメモリカードとして指定する定数を含むマジックナンバーフィールド５０２（例えば、このマジックナンバーフィールド５０２は、特定の販売者やメーカやベンダに帰属する正当なカードが使用されていることを確認又は検証するのに使用することができる）、
（ｉｉ）カードレイアウトの下位のバージョンと互換性のあるリーダ１６０、１７０により読むことができないレイアウトの変更を指定する各バージョンの増加分を含むバージョンフィールド５０３、
（ｉｉｉ）予約フィールド５０４（この予約フィールド５０４は今後の使用のために予約されている）、
（ｉｖ）カード用のフラグを含むフラグフィールド５０５（図７参照）、
（ｖ）サービスフィールド５０６及びサービス固有フィールド５０７の２つのフィールドを含む区別用識別子フィールド５１０（サービスフィールドはカードのサービス（例えば、特定のＵＲＬ）の識別に用いられ、サービス固有フィールドはオプションとしてサービス固有値を含む）、
（ｖｉ）ヘッダに続くオブジェクトの数を表す数値を含むオブジェクト数フィールド（このフィールドは０に設定することもできる）、
（ｖｉｉ）チェックサム自体を除くカード１２０上の全てのデータのカードチェックサムを含むチェックサムフィールド。
【００５８】
フィールド５０６に含まれるサービス識別子により、ひとつのサービスを他のサービスから、又はひとつの販売者を他の販売者から区別できる。すなわち、サービスはスマートカード１２０の持ち主にサービスを提供するアプリケーションによって識別される。
【００５９】
フィールド５０７に含まれるサービス固有識別子は、サービスの販売者が、特定のＵＲＬによりアドレス指定されるインターネットページで提供される特定のサービスの所定の機能を提供するのに自由に使用することができる。サービス識別子の使用は、システム１００上で実行中のアプリケーションによってほぼ決まる。例えば、サービス識別子５０６及びサービス固有識別子５０７は、上述のように、特定の商品やサービスを提供する特定のインターネットページの固有の機能へのアクセスを獲得又は拒絶し、ログファイル中に固有サービス識別子の値を再生してその値を有する特定のカード１２０が特定のインターネットページ／サービスにアクセスするのに使用されたことを確認又は検証し、データベース中の対応する値に符合させることができる固有の識別子を提供してインターネットページ／サービスのユーザに関する情報（名前、住所、クレジットカード番号など）を取得するために、カード１２０に対する固有の識別子として使用することができる。
【００６０】
サービス固有識別子５０７の使用の他の例として、カード１２０の配布のメカニズム又は様式（郵便、バスターミナルの売店、列車内での配布など）に関する情報の提供を含むことができる。サービス固有識別子５０７は、例えば、特定のインターネットページ／サービスがアクセスされたときにシステム１００にどのデータがロードされるべきかを識別することができる。以上の説明はサービス固有識別子５０７の可能な適用例を網羅したリストではなく、可能な適用例の少数のサンプルに過ぎない。サービス固有識別子５０７にはその他にも多くの適用例がある。
【００６１】
図５のヘッダ５００のフラグフィールド５０５は以下のような３つのフラグを含む：
（ｉ）ビープ音停止、
（ｉｉ）移動イベントなし、
（ｉｉｉ）イベント座標なし。
【００６２】
図６は上述の各フラグの記述を示す。上述のフラグは、各フラグの記述により定義されるように、リーダ１６０、１７０においてスマートカード１２０が実行可能な機能に影響を及ぼす。図６で参照されたユーザインタフェース（ＵＩ）要素の一例はカード１２０上のアイコン１２４である。ＵＩ要素は本文書で更に詳細に後述する。
【００６３】
図５のカードヘッダ５００の直後に、特定のカード１２０の各オブジェクトを定義し且つカードデータの一部を形成する０個以上のオブジェクト構造を続けることができる。各オブジェクト構造はオブジェクトヘッダを有する。オブジェクトヘッダは以下のような４つのフィールドを含んでも良い：
（ｉ）種別フィールド、
（ｉｉ）オブジェクトフラグフィールド、
（ｉｉｉ）長さフィールド、
（ｉｖ）データフィールド。
【００６４】
データフィールドの構造は後述するオブジェクト種別によって決まる。
【００６５】
図８は、カード１２０に対するオブジェクトヘッダ５００の各フィールドの説明を示す。図５のオブジェクトヘッダのフラグフィールド５０５は、インアクティブフラグを含むのが好ましい。図９は、カード１２０に対するインアクティブフラグの説明を示す。
【００６６】
カード１２０には以下に示すように５つのオブジェクト種別が提供されるのが好ましい：
（ｉ）ユーザインタフェース（ＵＩ）オブジェクト（すなわち、カード１２０上のアイコン１２４を定義するデータ）、
（ｉｉ）カードデータ、
（ｉｉｉ）固定長データ、
（ｉｖ）リーダ挿入、
（ｖ）無作用、
（ｖｉ）無作用（１バイト）。
【００６７】
図１０は、上述の種別（ｉ）から（ｖｉ）の各々の説明を示す。各ＵＩオブジェクトは、カード１２０上の矩形領域とユーザがタッチパネル１６２のカード１２０の対応する矩形領域の上にある領域に触れるときに送信される幾つかのデータとを定義する。座標マッピングシステムの起点は、スマートカード１２０が図２に示すように縦向きに保持されたときのカード１２０の左上である。このカードの向きを使用しないリーダ１６０、１７０の場合、正しいアイコンの押下を通知するように四隅の点の値がリーダ１６０、１７０によって調整されなければならない。
【００６８】
ＵＩ（要素）オブジェクト構造は、上述のカード１２０に従って以下に示すように６つのフィールドを有するのが好ましい：
（ｉ）フラグフィールド、
（ｉｉ）Ｘ１フィールド、
（ｉｉｉ）Ｙ１フィールド、
（ｉｖ）Ｘ２フィールド、
（ｖ）Ｙ２フィールド、
（ｖｉ）例えば、ＵＲＬ、コマンド、キャラクタ又は名前に対するＵＩ要素に関連付けられるデータを通常含むデータフィールド。
【００６９】
図１１は、カードのＵＩオブジェクト構造に対する上述の各フィールドの説明を示す。感圧タッチパネル１６２の押下は、以下のような場合に特定のＵＩオブジェクトの内側であると定義される：
（ｉ）押下位置のＸ値が関連するＵＩオブジェクトのＸ１値以上であり、その特定のＵＩオブジェクトのＸ２値未満である場合、
（ｉｉ）押下位置の押下Ｙ値が特定のＵＩ要素のＹ１値以上であり、Ｙ２値未満である場合。
【００７０】
ＵＩ要素は重複しても良い。押下が２つ以上のＵＩ要素の範囲内である場合、送信されるオブジェクトはＺ順により判定される。カード１２０上のＵＩ要素の順序は、その特定のカード１２０上の全てのＵＩ要素に対するＺ順序付けを定義する。先頭のＵＩ要素は特定のカードに対する第１のＵＩ要素である。最後尾のＵＩ要素はそのカードに対する最終のＵＩ要素である。これにより、非矩形の領域の定義も考慮される。例えば、「Ｌ」型のＵＩ要素を定義するには、第１のＵＩオブジェクトがデータフィールドに０バイトを伴って定義され、第２のＵＩオブジェクトが第１のＵＩオブジェクトの左下にＵＩオブジェクトに重なるように定義されるであろう。押下の位置は「フィンゲル（ｆｉｎｇｅｌ）」において通知される。この「フィンゲル」はフィンガー要素（画素を表す「ピクセル」に類似）を表す。フィンゲルの高さは国際標準化機構（ＩＳＯ）メモリスマートカードの長さの１／２５６であり、幅はＩＳＯメモリスマートカードの幅の１／１２８であると定義される。各要素と関連付けられる挙動は、１またはそれ以上のフラグを用いて変更されても良い。各ＵＩ要素は以下に示すように関連する４つのフラグを有するのが好ましい：
（ｉ）ビープ音イネーブル反転
（ｉｉ）オートリピート
（ｉｉｉ）押下時データ送信禁止
（ｉｖ）リリース時データ送信禁止。
【００７１】
図１２は、各ＵＩ要素フラグの説明を示す。
【００７２】
カードデータオブジェクトは、特定のカード１２０に固有のデータを格納するのに使用される。このオブジェクトに対するデータレイアウトは現在固定の形式をもたない。
【００７３】
固定長データオブジェクトは、例えば、コンピュータ１００により書き込むことが可能なカード１２０上の固定長ブロックを定義するのに使用される。
【００７４】
リーダ挿入オブジェクトは、特定のカード１２０が挿入されたときにリーダ１６０、１７０に対する命令を格納するのに使用される。リーダ挿入オブジェクトは、例えば、赤外線（ＩＲ）コマンドの特定の構成を使用して特定のコンピュータ、セットトップボックス、及びＴＶなどのうちの少なくともいずれかと送受信できるようにするべくリーダ１６０、１７０に指示するのに使用することができる。
【００７５】
無作用オブジェクトは、特定のカード１２０上の他のオブジェクト間の未使用のセクションを埋めるのに使用される。無作用オブジェクトに格納されるあらゆるデータはリーダ１６０、１７０によって無視される。カード１２０の端の未使用の空間は無作用オブジェクトを用いて埋める必要がない。
【００７６】
無作用（１バイト）オブジェクトは、完全なオブジェクトヘッダには小さすぎるオブジェクト間の隙間を埋めるのに使用される。これらのオブジェクトは合計しても１バイト長である。
【００７７】
遠隔のリーダ１６０、１７０は、例えば、遠隔のリーダ１６０、１７０とクライアントコンピュータ８００との間の単方向通信及び双方向通信の双方をサポートするデータグラムプロトコルを使用するのが好ましい。遠隔のリーダ１６０、１７０とユーザとの対話の結果、遠隔のリーダ１６０、１７０から受信するメッセージに使用される形式は、遠隔のリーダ１６０、１７０に送信される形式とは異なる形式である。
【００７８】
遠隔のリーダ１６０、１７０により送信することが可能なメッセージイベント種別は少なくとも７つある。これらのイベントは以下の通りである：
・ＩＮＳＥＲＴ：カード１２０が遠隔のリーダ１６０、１７０へと挿入され、カード１２０が検証されると、遠隔のリーダ１６０、１７０によりＩＮＳＥＲＴイベントが生成され、関連するメッセージが送信される。このメッセージはカード１２０の存在を受信装置（例えば、クライアントコンピュータ８００）に通知するものである。ＩＮＳＥＲＴメッセージは特定の区別用識別子５１０を含むのが好ましく、最初の対話が起こるまで待たずにカード１２０の挿入直後にアプリケーションを開始又はフェッチできるようにする。
【００７９】
・ＲＥＭＯＶＥ：カード１２０が遠隔のリーダ１６０、１７０から抜き取られると、対応するＲＥＭＯＶＥイベントが生成され、ＲＥＭＯＶＥメッセージが遠隔のリーダ１６０、１７０と関連付けられた特定の受信装置に送信される。ＩＮＳＥＲＴメッセージと同様に、関連する区別用識別子５１０がメッセージと共に送信される。抜き取られたカード１２０からは識別子を読むことができないので、識別子は遠隔リーダ１２０のメモリに格納される。他の全てのメッセージが区別用識別子５１０を必要とするが、識別子が必要となるたびにカード１２０から識別子を読むのでは遅すぎる可能性があるので、これは有用な最適化である。システム１００は処理を制御する際にＩＮＳＥＲＴメッセージ及びＲＥＭＯＶＥメッセージに依存しない。受信したメッセージが予期されるものでない場合、システム１００は欠落したメッセージがあることを推定するように構成されるのが好ましい。例えば、アプリケーションが２つの連続するＩＮＳＥＲＴメッセージを受けた場合、一度に２枚のカードを挿入することはできないので、第１のＩＮＳＥＲＴメッセージのカードと関連付けられたＲＥＭＯＶＥメッセージが欠落したと想定することができる。アプリケーションは、第２のＩＮＳＥＲＴメッセージを処理する前に必要なあらゆる動作を行なうことができる。メッセージの欠落が起こりうる別の例は、有線式のリーダに対してハンドヘルドの赤外線接続のリーダが使用される場合である。ユーザはカードの挿入又は抜き取り時にリーダを受信装置に直接向けないことが多い。この問題は、連続するＰＲＥＳＳ／ＲＥＬＥＡＳＥの対において区別用識別子が異なることに基づいてＩＮＳＥＲＴ操作又はＲＥＭＯＶＥ操作を推定するシステム１００により解消することができる。
【００８０】
・ＢＡＤ ＣＡＲＤ：無効なカードが挿入される場合、遠隔のリーダ１６０、１７０はＢＡＤ ＣＡＲＤイベントを生成し、ＢＡＤ ＣＡＲＤメッセージを送信するように構成されるのが好ましい。このメッセージにより、関連する受信装置はユーザに対して無効なカードであることを警告すべく何らかの動作を行なうことができる。
【００８１】
・ＰＲＥＳＳ：遠隔のリーダ１６０、１７０により接触が検知され、接触位置がユーザインタフェースオブジェクトに対応づけられるとき、ＰＲＥＳＳイベントが生成され、ＰＲＥＳＳメッセージが関連する受信装置に送信される。ＰＲＥＳＳメッセージは、関連するカードの詳細、押下の位置、及びその特定の位置においてユーザインタフェース要素と関連付けられたデータを含む。その位置に対して定義されるユーザインタフェース要素が存在しない場合（カード１２０上に定義されるユーザインタフェース要素が全く存在しない場合を含む）、関連するカードの詳細及び押下の位置を含むＰＲＥＳＳメッセージが送信される。ＰＲＥＳＳイベントが生成されたときに遠隔のリーダ１６０、１７０内にカードが存在しない場合、特別な「ＮＯ＿ＣＡＲＤ」識別子（すなわち、８バイトの０−０ｘ００）及び押下の位置を含むＰＲＥＳＳメッセージが送信される。
【００８２】
・ＲＥＬＥＡＳＥ：ＲＥＬＥＡＳＥイベントはＰＲＥＳＳイベントを補うものであり、システム１００のアプリケーションプログラムにＰＲＥＳＳが解除されたことを通知するためにＲＥＬＥＡＳＥメッセージを送信することができる。全てのＰＲＥＳＳイベントは対応するＲＥＬＥＡＳＥイベントを有するのが好ましい。リーダは複数回の押下を登録したり、あるいは、ＰＲＥＳＳメッセージとＲＥＬＥＡＳＥメッセージとの間に発生する可能性があるその他のイベントを提供したりすることができる。
【００８３】
・ＭＯＶＥ：ＰＲＥＳＳイベントの処理後に接触位置がある量だけ変化する場合、指（又はカードに接触するのに使用されるもの）が移動中であると想定される。ＭＯＶＥイベントが生成され、接触が解除されるまでＭＯＶＥメッセージが送信される。接触位置が静止したままであるときには、ＭＯＶＥイベントは直前のＭＯＶＥメッセージを再送信することによってオートリピートする。接触が解除され、対応するＲＥＬＥＡＳＥメッセージが送信されると、オートリピートは終了する。ＰＲＥＳＳイベント及びＲＥＬＥＡＳＥイベントとは異なり、ＭＯＶＥイベントと関係するユーザインタフェースオブジェクトは存在しない。
【００８４】
・ＬＯＷ ＢＡＴＴ：遠隔のリーダ１６０、１７０中のバッテリ（不図示）の電力が低下しているとき、ＬＯＷ ＢＡＴＴイベントが生成され、ＬＯＷ ＢＡＴＴメッセージが送信される。このメッセージは、ユーザとの対話の後にメッセージがシステム１００のその他の部分により受信される可能性を高めるために送信される。ＬＯＷ ＢＡＴＴメッセージの送信は、遠隔のリーダ１６０、１７０が低電力状態に入ることを妨害しない。
【００８５】
システム１００にとっての好適なデータ形式は、固定サイズのヘッダの後に０バイト以上の長さを有することが可能な可変長のデータフィールドが続き、更にその後に８ビットのチェックサム及び補数が続く形式である。
【００８６】
メッセージヘッダは固定長であることが好ましく、遠隔のリーダ１６０、１７０から送信される全てのメッセージの前に付加される。帯域幅に制約がある可能性があるので、メッセージヘッダは可能な限り小さくする必要がある。図１３は、遠隔のリーダ１６０、１７０から送信されるメッセージヘッダの形式を示す。
【００８７】
販売者が特定のサービスを登録するとき、スマートカード識別機関によりサービス５０６識別子及びサービス固有５０７識別子をその販売者に割り当てることができる。サービス５０６及びサービス固有識別子５０７は任意のカードからの全てのメッセージに対して同じである。サービス固有識別子はアプリケーションと共に使用するために販売者により設定されるのが好ましい。
【００８８】
図１４は、以上説明したメッセージイベント種別を列挙するテーブルを示す。
【００８９】
幾つかのメッセージ種別は、上述のメッセージヘッダ並びにそれに続くメッセージチェックサムバイト及びその補数のみから成るという点で単純であると考えられる。例えば、ＢＡＤＣＡＲＤメッセージは単純なメッセージである。
【００９０】
図１５は、簡単なメッセージの形式を示す。ＭＯＶＥメッセージは、上述のメッセージヘッダ及びそれに続く遠隔のリーダ１６０、１７０のタッチパネル１６２上の接触位置の座標を定義する２つのフィールドから形成される。図１６は、ＭＯＶＥメッセージの形式を示す。
【００９１】
図１７は、ＰＲＥＳＳメッセージ及びＲＥＬＥＡＳＥメッセージの形式を示す。ＰＲＥＳＳメッセージ及びＲＥＬＥＡＳＥメッセージは、ＭＯＶＥメッセージと同様にメッセージヘッダ及び接触座標を含む。加えて、接触位置がカード１２０上で定義されるユーザインタフェース要素やアイコン１２４と一致する場合、ＰＲＥＳＳメッセージ及びＲＥＬＥＡＳＥメッセージはユーザインタフェース要素と関連付けられるデータを送信する。このデータは可変長であり、実際のサイズは対応するカード１２０により定義される。接触位置がカード１２０上で定義されるユーザインタフェース要素と一致しない場合（カード１２０上で定義されるユーザインタフェース要素がない場合を含む）、ユーザインタフェース要素と関連付けられる０バイトのデータが送信される。リーダ１６０、１７０内にカード１２０がない場合、サービス識別子は全てが０（すなわち、０ｘ００）に設定され、ユーザインタフェース要素と関連付けられる０バイトのデータが送信される。ＵＩ要素と関連付けられたデータは、通常、カード１２０上で定義されるユーザインタフェース要素と関連付けられたデータに対応するが、カード１２０又はリーダ１６０、１７０での処理により変更又は生成されても良い。
【００９２】
システム１００はこれまで説明した各人に対して複数の利点を提供する。第１に、スマートカード１２０の持ち主はクライアントコンピュータ８００へアクセスする必要がなく、インターネットにログオンし、販売者サーバ２００を検索して探し出し、所要の情報を探し出して検索するという煩雑な作業を行なう必要がない。一度カード１２０をリーダ１６０に挿入すれば、適切なアイコン１２４を選択した際にこのような情報が自動的に出現する。
【００９３】
また、スマートカード１２０の持ち主に関する情報を事前に得ている販売者サーバ２００は、実行中の全てのトランザクションに対して特別な許可を求める必要がなく、分かっている持ち主のこれまでのトランザクション履歴に基づいてトランザクションを実施するだけで良いという点で、システム１００は従来の文書購入方法よりも確実である。勘定請求及びトランザクションの詳細はサーバ２００により機密扱いで保持されても良く、インターネット１３０を介して「オープン」に送信される必要はない。販売者サーバ２００にとって更に有利な点は、供給される商品やサービスの大きさ又は費用に関わらず、スマートカード１２０をプログラミングし、これをユーザに配送する費用は固定であり、商品やサービスを定期的に加入者に提供することに関わるリスクが相当に減少する点である。
【００９４】
システム１００は、各々がシステム１００の一部を形成する１つ以上の販売者サーバ２００に多様なスマートカードサービスを提供するビジネスサイト６００にとっても有利である。この構成は、ビジネスサイト６００が全てのトランザクションを監視し、通常、トランザクション費用のごく一部に相当する収入を得ることを可能にする。トランザクション費用は、ページ単位、文書単位で提供されても、送信されるデータの合計サイズ、トランザクションの数、又は販売者サーバ２００の管理者により供給される商品やサービスの種類及び費用の両方あるいはいずれか一方に基づいて提供されても良い。また、システム１００は、ローカルサーバ７００への接続部に位置するプリンタの使用者に関してローカルサーバ７００の持ち主に継続的な収入をもたらす。
【００９５】
ローカルサーバ７００がビジネス機構の一部を形成する構成では、スマートカード１２０は、ローカルサーバ７００を動作させるビジネスの識別表示の詳細と共にプログラムされても良い。従って、そのビジネスに従事する多数の人員が同一又は複数のスマートカード１２０を利用し、その利用料金が個人ユーザとは対照的にビジネス自体に請求されても良い。
【００９６】
当業者は、システム１００を様々な用途に使用できると共に、コンピュータネットワークを介して多様な商品やサービスを提供するのに使用できることを認識するであろう。システム１００の適用例には、サービスの説明書、ソフトウェアの説明書、及びその他の説明書の最新版の印刷が含まれる。例えば、法律関係の書籍の出版社は判例法の季刊の最新版を提供し、各四半期の初めに加入者がスマートカードを利用して前の四半期の定期的な最新版を直接印刷できるように各加入者にスマートカードを配布しても良い。別の類似の適用例は、ある設備を購入し、設備自体は比較的費用がかからないが、操作説明書を供給する費用が法外に高い場合である。この場合、スマートカード１２０を購入品と共に提供し、操作説明書を入手する必要があるユーザはスマートカード１２０を使用して入手するようにしても良い。このようなマーケティング手法は、集積回路デバイス、プリント回路基板、自動車部品、及びその他の同様のデバイスなどの多様な小さいサイズの又は安価な部品に適しているであろう。
【００９７】
システム１００は、特定の目的で文書の個々の節又は部分を印刷するのに使用されても良い。例えば、交通機関の時刻表を普通に印刷して配布すると法外な費用がかかる場合に、限定された区間の時刻表に関する情報を印刷するのにこの部分を使用しても良い。健康状態又は中毒の治療などの治療に関する情報、現在の為替レートに関する情報、及びその他の金融データを同様に入手しても良い。また、スマートカード１２０は、個人向け株及び株価、ニュースレター、又は情報シートなどの種々の形態のスマート編集サービス、すなわち、ガイド機能付きの編集サービスから利用できるような集合的なコンテンツの印刷に使用しても良い。スマートカード１２０は、特定のサービスの許可及び実行を可能にするのに必要なチケット又はその他のトークンを印刷するのに使用されても良い。例えば、ユーザは地域の劇場で２０本の映画の上映を見る資格を得るためにスマートカード１２０を購入しても良い。リーダ及びプリンタは各地域の劇場に配置されても良く、この場合、到着時にチケット売り場でチケットを購入する代わりに、スマートカードの持ち主にはチケット発行に対する優先的なアクセスが提供されるであろう。その結果、プリンタは自動的に選択された映画用のチケットを印刷する。
【００９８】
システムモジュール２４２は、スマートカードビジネスサイトによりサービスプロバイダへと出力される特定のライセンス条件下で、文書の印刷に対する全ての要求及び印刷されるページ数の両方あるいはいずれか一方を記録するように動作する。システムソフトウェア２４２は、トランザクションサイト６００にページ数又は文書数又はページカウントの通知を送信する。ソフトウェアモジュール２４２は、ある期間内の全ての印刷に対して同意済のページ価格又は文書価格で定期的に販売者への料金請求を実施する。
【００９９】
ここで説明した方法の拡張は、スマートカード１２０への識別機能の組込みにあり、それにより、許可された人物のみが所期の目的でスマートカード１２０を使用できるようになる。この拡張は、各スマートカード１２０にＰＩＮ（個人識別番号）パッド機能を組み込むことによって形成されても良い。この機能は、英数字キーパッド１２６として配列される複数のアイコン１２４により実現される。その他のアイコン１２８は有効なＰＩＮが入力されて初めて所望の印刷機能を実行するように選択可能であり、これらの特徴が図２に示される。
【０１００】
以上、本発明の幾つかの実施例のみを説明したが、本発明の趣旨を逸脱することなく変更を行なうことができる。
【図面の簡単な説明】
【図１】
ネットワーク化印刷システムの概略ブロック図表現であり、
【図２】
図１のシステムからのコンピューティングリソースのローカル構成を示し、
【図３】
図１のシステムを介して供給される文書を印刷する方法を示すフローチャートであり、
【図４】
図１の販売者サーバの問合せの方法を示すフローチャートであり、
【図５】
図１のカードに格納されたカードヘッダのデータ構造を示し、
【図６】
図５のヘッダの各フィールドの説明を示し、
【図７】
図５のヘッダに含まれる各フラグの説明を示し、
【図８】
図１のカードに対するオブジェクトヘッダの各フィールドの説明を示し、
【図９】
図８のオブジェクトヘッダに対するフラグの説明を示し、
【図１０】
図８のオブジェクトヘッダに対する各オブジェクト種別の説明を示し、
【図１１】
図８のオブジェクトヘッダによるユーザインタフェース（ＵＩ）オブジェクト構造に対する各フィールドの説明を示し、
【図１２】
図８のオブジェクトヘッダによる各ユーザインタフェース（ＵＩ）オブジェクトフラグに対する説明を示し、
【図１３】
図１のリーダから送信されるメッセージヘッダの形式を示し、
【図１４】
図１３のヘッダに対するメッセージイベント種別を列挙するテーブルを示し、
【図１５】
単純なメッセージの形式を示し、
【図１６】
ＭＯＶＥメッセージの形式を示し、
【図１７】
ＰＲＥＳＳメッセージ及びＲＥＬＥＡＳＥメッセージの形式を示し、
【図１８】
図１のシステムを介して供給されるピザの購入方法を示すフローチャートであり、
【図１９】
図１８の方法による販売者サーバの問合せの方法を示すフローチャートであり、
【図２０】
図１のシステムを介してフィットネストレーニングサービスを獲得する方法を示すフローチャートであり、
【図２１】
図２０の方法による販売者サーバの問合せの方法を示すフローチャートであり、
【図２２】
図１のシステムのスマートカードリーダから受信されたＵＲＬを処理する方法を示すフローチャートであり、
【図２３】
図１のシステムを介して実行されるトランザクションに対する見積もりを判定する方法を示すフローチャートであり、
【図２４】
汎用コンピュータの概略ブロック図である。
【図１】
2004507853.tif 000003
【図２】
2004507853.tif 000004
【図３】
2004507853.tif 000005
【図４】
2004507853.tif 000006
【図５】
2004507853.tif 000007
【図６】
2004507853.tif 000008
【図７】
2004507853.tif 000009
【図８】
2004507853.tif 000010
【図９】
2004507853.tif 000011
【図１０】
2004507853.tif 000012
【図１１】
2004507853.tif 000013
【図１２】
2004507853.tif 000014
【図１３】
2004507853.tif 000015
【図１４】
2004507853.tif 000016
【図１５】
2004507853.tif 000017
【図１６】
2004507853.tif 000018
【図１７】
2004507853.tif 000019
【図１８】
2004507853.tif 000020
【図１９】
2004507853.tif 000021
【図２０】
2004507853.tif 000022
【図２１】
2004507853.tif 000023
【図２２】
2004507853.tif 000024
【図２３】
2004507853.tif 000025
【図２４】
2004507853.tif 000026
【国際公開パンフレット】
2004507853.tif 000027
2004507853.tif 000028
2004507853.tif 000029
2004507853.tif 000030
2004507853.tif 000031
2004507853.tif 000032
2004507853.tif 000033
2004507853.tif 000034
2004507853.tif 000035
2004507853.tif 000036
2004507853.tif 000037
2004507853.tif 000038
2004507853.tif 000039
2004507853.tif 000040
2004507853.tif 000041
2004507853.tif 000042
2004507853.tif 000043
2004507853.tif 000044
2004507853.tif 000045
2004507853.tif 000046
2004507853.tif 000047
2004507853.tif 000048
2004507853.tif 000049
2004507853.tif 000050
2004507853.tif 000051
2004507853.tif 000052
2004507853.tif 000053
2004507853.tif 000054
2004507853.tif 000055
2004507853.tif 000056
2004507853.tif 000057
2004507853.tif 000058
2004507853.tif 000059
2004507853.tif 000060
2004507853.tif 000061
2004507853.tif 000062
2004507853.tif 000063
2004507853.tif 000064
2004507853.tif 000065
2004507853.tif 000066
2004507853.tif 000067
2004507853.tif 000068
2004507853.tif 000069
2004507853.tif 000070
2004507853.tif 000071
2004507853.tif 000072
2004507853.tif 000073
2004507853.tif 000074
2004507853.tif 000075
2004507853.tif 000076
2004507853.tif 000077
2004507853.tif 000078
2004507853.tif 000079
2004507853.tif 000080
2004507853.tif 000081
2004507853.tif 000082
2004507853.tif 000083
2004507853.tif 000084
2004507853.tif 000085
2004507853.tif 000086
2004507853.tif 000087
2004507853.tif 000088
2004507853.tif 000089
2004507853.tif 000090
2004507853.tif 000091
2004507853.tif 000092
2004507853.tif 000093
2004507853.tif 000094
2004507853.tif 000095
2004507853.tif 000096
2004507853.tif 000097
2004507853.tif 000098
2004507853.tif 000099
2004507853.tif 000100
2004507853.tif 000101
2004507853.tif 000102
【国際調査報告】
2004507853.tif 000103
2004507853.tif 000104